(57)【要約】【課題】  低価のモータステーター組立体及びこれを採用した磁気記録／再生装置のヘッドドラム組立体を提供する。【解決手段】  本発明のヘッドドラム用のモータステーター組立体は、モータローターに向き合い駆動力を発生させるモータステーター組立体において、両面それぞれに電気信号を入力できる信号ラインがパターン形成された両面ＦＰＣと、捲線された状態にＦＰＣの第１の面に結合され信号ラインと電気的に連結される複数の駆動コイルと、ＦＰＣの第２の面に結合されるヨークとを含む。【選択図】        図３
2006040524.tif 000002
【特許請求の範囲】
【請求項１】
モータローターに向き合い駆動力を発生させるモータステーター組立体において、
両面それぞれに電気信号を入力できる信号ラインがパターン形成された両面ＦＰＣと、
捲線された状態に前記ＦＰＣの第１の面に結合されて前記信号ラインと電気的に連結される複数の駆動コイルと、
前記ＦＰＣの第２の面に結合されるヨークとを含むことを特徴とするヘッドドラム用のモータステーター組立体。
【請求項２】
前記複数の駆動コイルは、前記ＦＰＣの信号ラインに半田付けによって電気的に連結されることを特徴とする請求項１に記載のヘッドドラム用のモータステーター組立体。
【請求項３】
前記ヨークは、前記ＦＰＣの第２の面に接着剤により付着されることを特徴とする請求項１に記載のヘッドドラム用のモータステーター組立体。
【請求項４】
前記ＦＰＣの第２の面には、モータの駆動速度を制御するためのＦＰコイルと、モータの位相を制御するためのＰＧコイルが設けられることを特徴とする請求項１に記載のヘッドドラム用のモータステーター組立体。
【請求項５】
前記ＦＰコイルと前記ＰＧコイルのそれぞれは、前記ＦＰＣの第２の面にパターン形成されることを特徴とする請求項４に記載のヘッドドラム用のモータステーター組立体。
【請求項６】
前記駆動コイルは、接着剤により前記ＦＰＣの第１の面に接着されることを特徴とする請求項１に記載のヘッドドラム用のモータステーター組立体。
【請求項７】
シャフトに固定される固定ドラムと、
前記固定ドラムに向き合うよう前記シャフトに回転自在に設けられ、磁気ヘッドを支持する回転ドラムと、
前記回転ドラムを回転駆動させるためのドラムモータとを含み、
前記ドラムモータは、前記回転ドラムに設けられるローターと、
前記ローターに向き合うよう前記固定ドラムに設けられ、第１の面に複数の駆動コイルが捲線されて結合され、第２の面にはヨークが結合された両面ＦＰＣを有するステーター組立体とを含むことを特徴とする磁気記録／再生装置のヘッドドラム組立体。
【請求項８】
前記駆動コイルは、接着剤により前記ＦＰＣの第１の面に接着されることを特徴とする請求項７に記載の磁気記録／再生装置のヘッドドラム組立体。
【請求項９】
前記ＦＰＣの第１の面には、前記駆動コイルと半田付けによって結合される信号ラインがパターン形成されることを特徴とする請求項７に記載の磁気記録／再生装置のヘッドドラム組立体。
【請求項１０】
前記ＦＰＣの第２の面には、前記ドラムモータの駆動速度を制御するためのＦＰコイルと、モータの位相を制御するためのＰＧコイルが設けられることを特徴とする請求項７に記載の磁気記録／再生装置のヘッドドラム組立体。
【請求項１１】
前記ＦＰコイルと前記ＰＧコイルのそれぞれは、前記ＦＰＣの第２の面にパターン形成されることを特徴とする請求項１０に記載の磁気記録／再生装置のヘッドドラム組立体。
【請求項１２】
前記ヨークは、前記ＦＰＣの第２の面に接着剤により付着されることを特徴とする請求項７に記載の磁気記録／再生装置のヘッドドラム組立体。
【請求項１３】
前記ＦＰＣは、
前記駆動コイルが円形に支持されるドーナツ状のステーター部と、
前記ステーター部の一側で所定の長さに延長され、信号ラインがパターン形成された信号ライン部とを有することを特徴とする請求項６に記載の磁気記録／再生装置のヘッドドラム組立体。
【発明の詳細な説明】
【技術分野】
【０００１】
本発明は、磁気記録／再生装置のヘッドドラム組立体に関する。
【背景技術】
【０００２】
一般に、磁気記録／再生装置は、磁気テープのような記録媒体に情報を記録し、記録された情報を再生する装置として、ＶＣＲ（ビデオカセットテープレコーダ）、カムコーダなどがある。
【０００３】
磁気記録／再生装置は、メインデッキと、該メインデッキに回転自在に設けられ磁気テープに情報を記録／再生するヘッドドラム組立体と、磁気テープの走行をガイドするテープガイド手段などを備える。
【０００４】
ヘッドドラム組立体は、記録／再生機能を向上させるために通常メインデッキに対し所定角度傾いた状態で回転自在に設けられる。該ヘッドドラム組立体の一例が図１に示されている。
【０００５】
図１に示すように、シャフト１０に固定ドラム１１が設けられる。固定ドラム１１に向き合うようシャフト１０に回転ドラム１２が回転自在に設けられる。回転ドラム１２には走行する磁気テープをスキャニングし情報を記録／再生する磁気ヘッド１３が支持される。また、回転ドラム１２の上部には、ドラムカバー１４がシャフト１０に固定されている。回転ドラム１２とドラムカバー１４の向き合う面には、磁気信号を電気的な信号に変換させ伝達するための回転トランスファー１５と固定トランスファー１６がそれぞれ設けられる。
【０００６】
また、回転ドラム１２には、モータローター１７が設けられ、固定ドラム１１には、モータローター１７に向き合うモータステーター１８が設けられる。モータローター１７は、マグネットとしてモータステーター１８との相互作用により回転ドラム１２を回転させる駆動力を発生させる。
【０００７】
また、モータステーター１８の下部には、金属材質のヨーク１９が設けられている。ヨーク１９は、モータステーター１８とは別に固定ドラム１１に固定されモータステーター１８の磁気力を集束させることにより、回転ドラム１２を回転させるための電流特性を改善させるため設けられる。
【０００８】
一方、モータステーター１８は、図２に示すように、ＰＣＢ基板１８ａの内部にＦＰコイル（Ｆｉｎｅ  Ｐａｔｔｅｒ  Ｃｏｉｌ）１８ｂが一体形成された構造を有する。すなわち、ＰＣＢ基板１８ａにモータの駆動のための９本のコイルをパターニングし形成させてモータステーター１８が設けられる。また、ＰＣＢ基板１８ａには、モータの位置を制御するためのＰＧコイル（位相発生コイル）と、モータの速度制御のためのＦＧコイル（周波数発生コイル）がパターン形成される。かかる構成のモータステーター１８は、所定の厚さを有しヨーク１９とは別に固定ドラム１１に設けられる。また、ＰＣＢ基板１８ａの一側には、他の別のＦＰＣと半田付けにより連結させるための半田付け端子１８ｃが設けられる。
【０００９】
ところで、前述した構成を有する従来のモータステーターの場合、複数のコイルをパターン形成させる工程を有する特殊な部品として、その製造工程が難しく、製造コストがアップする問題点がある。
【００１０】
また、半田付け端子１８ｃに別のＦＰＣを半田付けにより連結しなければならないので組立工程が複雑であるという問題もある。
【発明の開示】
【発明が解決しようとする課題】
【００１１】
本発明は、前記のような問題点を解決するためになされたものであって、その目的は低価のモータステーター組立体及びこれを採用した磁気記録／再生装置のヘッドドラム組立体を提供することにある。
【課題を解決するための手段】
【００１２】
前記目的を達成するための本発明に係るヘッドドラム用のモータステーター組立体は、モータローターに向き合い駆動力を発生させるモータステーター組立体において、両面それぞれに電気信号を入力できる信号ラインがパターン形成された両面ＦＰＣと、捲線された状態に前記ＦＰＣの第１の面に結合され前記信号ラインと電気的に連結される複数の駆動コイルと、前記ＦＰＣの第２の面に結合されるヨークとを含むことを特徴とする。
【００１３】
ここで、前記複数の駆動コイルは、前記ＦＰＣの信号ラインに半田付けにより電気的に連結されることが好ましい。
【００１４】
また、前記ヨークは、前記ＦＰＣの第２の面に接着剤により付着されることを特徴とする。
【００１５】
また、前記ＦＰＣの第２の面には、モータの駆動速度を制御するためのＦＰコイルと、モータの位相を制御するためのＰＧコイルが設けられることを特徴とする。
【００１６】
また、前記ＦＰコイルと前記ＰＧコイルのそれぞれは、前記ＦＰＣの第２の面にパターン形成されることを特徴とする。
【００１７】
また、前記駆動コイルは、接着剤により前記ＦＰＣの第１の面に接着されることを特徴とする。
【００１８】
また、前記目的を達成するための本発明の磁気記録／再生装置のヘッドドラム組立体は、シャフトに固定される固定ドラムと、前記固定ドラムに向き合うよう前記シャフトに回転自在に設けられ、磁気ヘッドを支持する回転ドラムと、前記回転ドラムを回転駆動させるためのドラムモータとを含み、前記ドラムモータは、前記回転ドラムに設けられるローターと、前記ローターに向き合うよう前記固定ドラムに設けられ、第１の面に複数の駆動コイルが捲線されて結合され、第２の面にはヨークが結合された両面ＦＰＣを有するステーター組立体とを含むことを特徴とする。
【発明の効果】
【００１９】
本発明の磁気記録／再生装置のヘッドドラム組立体によれば、ヘッドドラム用のモータステーター組立体をＦＰＣの両面に駆動コイルとヨークとを付着し一体形成させることにより、製造コストを低減することができる。
【００２０】
また、一体になったステーター組立体を固定ドラムに設ければ良いため簡単な工程をもって組み立てることができる利点がある。
【発明を実施するための最良の形態】
【００２１】
以下、添付した図面に基づいて、本発明の実施形態に係る磁気記録／再生装置のヘッドドラム組立体を詳説する。
【００２２】
（実施形態）
図３に示すように、本発明の実施形態に係る磁気記録／再生装置のヘッドドラム組立体は、シャフト２０に固定される固定ドラム３０と、固定ドラム３０の上部に回転自在に設けられる回転ドラム４０と、回転ドラム４０の上部に設けられるドラムカバー５０及び回転ドラム４０を回転させるためのドラムモータ６０とを備える。
【００２３】
固定ドラム３０は、シャフト２０にはめ込まれ固定される。回転ドラム４０は、固定ドラム３０と積層され向き合うようシャフト２０に結合される。ベアリング７０が回転ドラム４０とシャフト２０との間に設けられる。
【００２４】
また、回転ドラム４０には、走行する磁気テープをスキャニングし磁気テープに情報を記録するか、或いは記録された情報を再生するための磁気ヘッド８０が支持される。
【００２５】
ドラムカバー５０は、回転ドラム４０の上部に配され、シャフト２０にはめ込まれ固定される。ドラムカバー５０と回転ドラム４０のそれぞれには、磁気ヘッド８０から読み取った情報伝達のため固定トランスファー９１と、ロータリートランスファー９３が設けられる。
【００２６】
ドラムモータ６０は、回転ドラム４０に設けられるローター６１と、固定ドラム３０に設けられるステーター組立体６３と、を備える。
【００２７】
ローター６１は、ドーナツ状のマグネットとして、ローターケース６２により回転ドラム４０に設けられる。
【００２８】
ステーター組立体６３は、ローター６１と所定距離を置いて向き合うよう固定ドラム２０に設けられる。ステーター組立体６３は、図４及び図５に示すように、ＦＰＣ６４と、駆動コイル６５及びヨーク６６が積層された構造を有する。
【００２９】
具体的に、ＦＰＣ６４は、両面に電気的な信号を印加することができる所定の信号ラインがパターン形成された両面ＦＰＣである。両面ＦＰＣ６４は、駆動コイル６５及びヨーク６６が結合されるドーナツ形のステーター部６４ａと、ステーター部６４ａから所定距離だけ延長された信号ライン部６４ｂと、から構成される。両面ＦＰＣ６４の第１の面Ｓ１には、駆動コイル６５が半田付けにより信号ラインと電気的に連結されるよう設けられる。本発明の実施形態では駆動コイル６５は、９個のステーター部６４ａに放射状に配列されるよう設けられる。駆動コイル６５は、所定の厚さを有する一般コイルが楕円形に捲線された形状を有する。
【００３０】
また、図６に示すように、両面ＦＰＣ６４の第２の面Ｓ２には、ＦＰコイルＣ１と、ＰＧコイルＣ２がパターニングされ形成される。ＦＰコイルＣ１は、ドラムモータ６０の駆動速度を制御し、ＰＧコイルＣ２は、ドラムモータ６０の位相、すなわち、回転位置を制御する。ＦＰコイルＣ１とＰＧコイルＣ２は、信号ライン部６４ｂから連結された信号ラインに連結され電気的な信号を入／出力することができる。
【００３１】
また、ヨーク６６は、両面ＦＰＣ６４の第２の面Ｓ２に接着剤により結合される。ヨーク６６も、ステーター部６４ａに対応されるドーナツ状を有し、金属材質で形成される。
【００３２】
以上で説明したように、ステーター組立体６０は、駆動コイル６５とヨーク６６が両面ＦＰＣ６４の両面Ｓ１，Ｓ２に付着されて一つのユニットを成す。このように、単一のユニットとして組み立てられた状態にステーター組立体６０は、固定ドラム３０に組み立てられる。従って、従来のように、ヨークを先ず固定ドラムに固定させた後、ステーターをヨーク上に組み立てる過程を省略することができる。
【００３３】
以上、本発明の原理を例示するために本発明の好適な実施形態について図示し説明したが、本発明は上述した特定の実施形態に限定されるものではなく、特許請求の範囲で請求している本発明の要旨を逸脱することなく、本発明に対する種々の変形及び修正が可能であることは当業者であれば理解できることであろう。よって、そのような変更及び修正は本発明の特許請求の範囲に含まれるものと見なすべきである。
【産業上の利用可能性】
【００３４】
本発明の実施形態によるヘッドドラム組立体は、磁気テープを用いて情報を保存するまたは記録する装置に適用できる。
【図面の簡単な説明】
【００３５】
【図１】従来の磁気記録／再生装置のヘッドドラム組立体を示す断面図である。
【図２】図１に開示されたＦＰコイルを示す斜視図である。
【図３】本発明の実施形態による磁気記録／再生装置のヘッドドラム組立体を示す断面図である。
【図４】図３に示したステーター組立体を抜粋して示す断面図である。
【図５】図３に示したステーター組立体を抜粋して示す分離斜視図である。
【図６】図３に示したＦＰＣの底面を示す底面図である。
【符号の説明】
【００３６】
２０  シャフト
３０  固定ドラム
４０  回転ドラム
５０  ドラムカバー
６０  ドラムモータ
６１  ローター
６２  ローターケース
６３  ステーター組立体
６４  ＦＰＣ
６５  駆動コイル
６６  ヨーク
【図１】
2006040524.tif 000003
【図２】
2006040524.tif 000004
【図３】
2006040524.tif 000005
【図４】
2006040524.tif 000006
【図５】
2006040524.tif 000007
【図６】
2006040524.tif 000008